(57)【要約】      （修正有）【課題】足の裏を刺激すると共に、五感や脳をも刺激し、さらに楽しく取り組んで長続きできる足踏み健康器具を提供する。【解決手段】外周面に多数の突起２２が形成された突起ロール２の両端面から軸体３を突出させた足踏みローラ１と、前記両軸体３，３を受け支えて、該足踏みローラを回転自在に支持する基台４１と、該基台を貫通した一の前記軸体３に固着される第一歯車５と、該第一歯車に歯車伝動機構Kを介して歯合連結し、該第一歯車の回動を駆動源にして音の出るオルゴールユニット６と、を具備し、足Ｆの裏を前記突起ロール２上に足Ｆを載せ、その足を前後方向に動かすことにより、足の裏を刺激すると共に前記第一歯車５を回動させて前記オルゴールユニット６の音がでるようにした。【選択図】図１
0003144938.tif 000002
【実用新案登録請求の範囲】
【請求項１】
外周面に多数の突起が形成された突起ロール(２)の両端面から軸体(３)を突出させた足踏みローラ(１)と、前記両軸体(３,３)を受け支えて、該足踏みローラを回転自在に支持する基台(４１)と、該基台を貫通した一の前記軸体(３)に固着される第一歯車(５)と、該第一歯車に歯車伝動機構(Ｋ)を介して歯合連結し、該第一歯車の回動を駆動源にして音の出るオルゴールユニット(６)と、を具備し、
足の裏を前記突起ロール(２)上に足を載せ、その足を前後方向に動かすことにより、足の裏を刺激すると共に前記第一歯車(５)を回動させて前記オルゴールユニット(６)の音がでることを特徴とする足踏み健康器具。
【請求項２】
前記足踏みローラ(１)が一対設けられ、且つ両者がスペース(Ｓ)をあけて同一軸線上に配され、さらに該スペースに前記オルゴールユニット(６)が配されるようにした請求項１記載の足踏み健康器具。
【請求項３】
前記第一歯車(５)に歯合する第二歯車(７２)から歯車伝動を受ける第三歯車(７８)が、前記突起ロール(２)上に足を載せ、その足を前方向に動かす場合及び前記足を後方向に動かす場合のいずれも一回転方向へ回転するようにした回転変換ユニット（７）を、前記歯車伝動機構(Ｋ)のなかにさらに備え、前記足を前後方向に動かす両方向の動きで、いずれもオルゴールユニット(６)の音がでるようにした請求項２記載の足踏み健康器具。
【考案の詳細な説明】
【技術分野】
【０００１】
本考案は足の裏を刺激する足踏み健康器具に関する。
【背景技術】
【０００２】
足の裏には体の各臓器につながるツボがあり、この部位のツボに刺激を与えることは疲労解消,健康回復等に効果があるとされている。そのため、回転自在に支持された突起ロール上に足の裏を載せ、その足を前後方向に動かすことにより、足の裏を刺激する足踏み健康器具の発明は、これまでいくつも提案されてきた(例えば特許文献１）。
【０００３】
【特許文献１】実開平５−６８５３１号公報
【特許文献２】実用新案登録第３０９６８９８号公報
【特許文献３】特開２００１−５４５４７号公報
【考案の開示】
【考案が解決しようとする課題】
【０００４】
しかるに、特許文献１〜３のいずれも、足の裏を刺激することだけに集中した足踏み健康器具でしかなかった。足踏み健康器具は、足の裏を突起のあるロール上に足を載せ、その足を前後方向に動かすだけの単純動作であり、退屈であった。効果があると判っていても長続きさせるのは難しかった。
【０００５】
従来の足踏み健康器具は足の裏を刺激できても、五感の刺激や脳への刺激がなかった。身体の健康と感情や気分、心の持ち方との間には、密接な関係があるといわれている。突起のあるロール上に足を載せ、ただひたすらその足を前後方向に動かすだけでは、足踏み健康器具を使用する者に楽しみ,喜びを与えるどころか、無理に強いれば苦痛を与えることにもなりかねなかった。
【０００６】
本考案は上記問題点を解決するもので、足の裏を刺激すると共に、五感や脳をも刺激し、さらに楽しく取り組んで長続きできる足踏み健康器具を提供することを目的とする。
【課題を解決するための手段】
【０００７】
上記目的を達成すべく、請求項１に記載の考案の要旨は、外周面に多数の突起が形成された突起ロール(２)の両端面から軸体(３)を突出させた足踏みローラ(１)と、前記両軸体(３,３)を受け支えて、該足踏みローラを回転自在に支持する基台(４１)と、該基台を貫通した一の前記軸体(３)に固着される第一歯車(５)と、該第一歯車に歯車伝動機構(Ｋ)を介して歯合連結し、該第一歯車の回動を駆動源にして音の出るオルゴールユニット(６)と、を具備し、足の裏を前記突起ロール(２)上に足を載せ、その足を前後方向に動かすことにより、足の裏を刺激すると共に前記第一歯車(５)を回動させて前記オルゴールユニット(６)の音がでることを特徴とする足踏み健康器具にある。
請求項２の考案たる足踏み健康器具は、請求項１で、足踏みローラ(１)が一対設けられ、且つ両者がスペース(Ｓ)をあけて同一軸線上に配され、さらに該スペースに前記オルゴールユニット(６)が配されるようにしたことを特徴とする。
請求項３の考案たる足踏み健康器具は、請求項２で、第一歯車(５)に歯合する第二歯車(７２)から歯車伝動を受ける第三歯車(７８)が、前記突起ロール(２)上に足を載せ、その足を前方向に動かす場合及び前記足を後方向に動かす場合のいずれも一回転方向へ回転するようにした回転変換ユニット（７）を、前記歯車伝動機構(Ｋ)のなかにさらに備え、前記足を前後方向に動かす両方向の動きで、いずれもオルゴールユニット(６)の音がでるようにしたことを特徴とする。
【０００８】
請求項１の考案のごとく、基台を貫通した一の軸体(３)に固着される第一歯車(５)と、該第一歯車に歯車伝動機構(Ｋ)を介して歯合連結し、該第一歯車の回動を駆動源にして音の出るオルゴールユニット(６)と、を具備し、足の裏を前記突起ロール(２)上に足を載せ、その足を前後方向に動かすことにより、足の裏を刺激すると共に前記第一歯車(５)を回動させて前記オルゴールユニット(６)の音がでると、何ら電源等を用いることなく、使用者が足を前後方向に動かす力、エネルギでオルゴール音を奏でることができる。オルゴールの音を聴きながら楽しく足踏みマッサージができるので、継続使用したくなる足踏み健康器具になる。聴覚の五感を刺激し脳を活性化させながら身体を刺激するので、心身両面からの相乗効果が期待できる。
請求項２の考案のごとく、足踏みローラ(１)が一対設けられ、且つ両者がスペース(Ｓ)をあけて同一軸線上に配され、さらに該スペースにオルゴールユニット(６)が配されると、通常状態で、両足を載せる所にそれぞれ足踏みローラの突起ロールを配置し、両足踏みローラ間にできるスペースにオルゴールユニット(６)が配されるので、足踏み健康器具のコンパクト化が図れる。
請求項３の考案のごとく、突起ロール(２)上に足を載せ、その足を前方向に動かす場合及び足を後方向に動かす場合のいずれも一回転方向へ回転するようにした回転変換ユニット（７）を、歯車伝動機構(Ｋ)のなかにさらに備え、足を前後方向に動かす両方向の動きで、いずれもオルゴールユニット(６)の音がでるようにすると、オルゴールの音色が断続せずに聴けるようになるので、五感や脳をより一層刺激する。足踏み健康器具を使う楽しさも倍増する。
【考案の効果】
【０００９】
本考案の足踏み健康器具は、使用者が突起のあるロール上に自らの足を載せそれを動かすことが、足の裏を刺激して身体に役立つだけでなく、その足を動かす動作がオルゴールを奏でる駆動源に利用されて、オルゴールが奏でて五感,脳を刺激するので、心と身体が一緒に良好な刺激を受ける相乗効果、楽しみながら取り組めることの持続性を促す効果など極めて優れた効果を発揮する。
【考案を実施するための最良の形態】
【００１０】
以下、本考案に係る足踏み健康器具について詳述する。
図１〜図５は本考案の足踏み健康器具の一形態で、図１はオルゴールユニットが収容された枠体部分の上蓋を外した状態の足踏み健康器具の斜視図、図２は図１の平面図、図３は図２の第一歯車と歯車伝動機構とオルゴールユニット周りの拡大平面図、図４は歯車伝動機構周りの正面図、図５は回転変換ユニットの説明断面図である。
【００１１】
本足踏み健康器具は、足踏みローラ１と枠体４と第一歯車５と歯車伝動機構Ｋとオルゴールユニット６とを具備する。
【００１２】
足踏みローラ１は、突起ロール２とその両端面２１ｂから突出する軸体３とを備えた木製足踏み部材である。突起ロール２のロール部２１と軸体３の軸心を一致させ、円柱状ロール部２１の円形端面２１ｂに軸体３が固着される。該軸体は突起ロール２と当初別体であったものを固着して一体化したが、初めから一体形成されていてもよい。突起ロール２には円柱状のロール部２１の外周面に多数の突起２２が形成される。ここでの突起２２は四角錐の形状で、図１,図２のごとくロール部２１の柱状周面を埋め尽くすように多数設けられる。該突起が足Ｆの裏のツボに刺激を与える役割を担う。突起２２は足Ｆの裏のツボを刺激できる凸部形状であれば、角錐体に限らず、その形状,大きさ,材質を問わない。足踏みローラ１は一個でもよいが、本実施形態では足踏みローラ１を一対設ける。二個の足踏みローラ１は、両足Ｆを使って且つそれらの足踏み動作が行い易くなるよう、スペースＳをあけて同一軸線上に配される。
【００１３】
枠体４は、前記足踏みローラ１の両軸体３を受け支えて、該足踏みローラ１を回転自在に支持する基台４１と、オルゴールユニット６及び歯車伝動機構Ｋが載置される底板４３とを備える木製フレームである。前記足踏みローラ１が一対設けられ、両者がスペースＳをあけて同一軸線上に配されるのに対応すべく、四個の基台４１が図１,２のごとく所定間隔を開けて並行配設される。四個の基台４１が連結棒４２によって連結一体化される。半円形板片の基台４１に前記足踏みローラ１が回転自在に支持されると、その突起ロール２の上部が基台４１よりも上方に張り出すように配設される(図１)。
枠体４がつくる前記スペースＳに底板４３を敷き、該底板上にオルゴールユニット６及び歯車伝動機構Ｋが載置される。中央側基台４１の二つの底近くで水平に底板４３が設けられる。底板４３は対向する基台４１と側板４４によって四方が囲まれる。該基台及び該側板の上縁部分を利用して、常態で、オルゴールユニット６及び歯車伝動機構Ｋが見えないよう、図示しない上蓋が蓋をする。基台４１の底面には滑り止めが貼着される。
【００１４】
四個並ぶ前記基台４１は二つずつペアになり、各基台４１には突起ロール２の端面２１ｂから突出する一の軸体３を挿入できる凹穴４１ｂ又は貫通孔４１ｃが形成される。突起ロール２の両端面２１ｂから突出する軸体３を凹穴４１ｂ又は貫通孔４１ｃに挿着して、基台４１に足踏みローラ１が回転自在に支持される。図２のごとく、左足Ｆを左側突起ロール２上に載せ、また右足(図示せず)は右側突起ロール２上に載せる。そして、その突起ロール２上で両足Ｆを図２の矢印で示す前後に動かす運動で、足Ｆのツボに刺激が与えられる。突起ロール２の回動に伴い、ロール部２１上に突出する多数の突起２２が、次々と足Ｆの裏を繰り返し刺激する。突起ロール２上で、両足Ｆを前後に動かす突起ロール２の回動によって、足Ｆの裏に接する突起２２が順次現れ、ツボを繰り返し押して刺激できる。
また、本考案の足踏み健康器具には、前記軸体３の一つに第一歯車５が固着される。
【００１５】
第一歯車５は、車の周囲に歯を切り、歯合により運動を伝える機械要素で、ここでの第一歯車５は図１〜図３ごとくの平歯車である。第一歯車５は、図１,図２の左側足踏みローラ１を支持するその右側基台４１を貫通した軸体３に固着される。図示のごとく、軸体３は左側足踏みローラ１に係る右側基台４１の貫通孔４１ｃを挿通して、前記スペースＳがつくる収容室に該軸体３の先端部が突出する。この先端部の端面に第一歯車５が固着される。軸体３の軸心と第一歯車５の回転軸とが一致するようにして、第一歯車５が該軸体３の先端面に固着される。前記足Ｆの前後に動かす突起ロール２の回動が第一歯車５の回動にもなる。第一歯車５は、その回動をオルゴールユニット６の音を出す駆動源にするために、歯車伝動機構Ｋの第二歯車７２に歯合する。
【００１６】
歯車伝動機構Ｋは、第一歯車５とオルゴールユニット６とを歯合連結し、第一歯車５の回動を駆動源にしてオルゴールユニット６が音を出すようにする伝達装置である。前記第一歯車５の回動を、該歯車伝動機構Ｋが仲介してオルゴールの音を出す作業機械たるオルゴールユニット６へと伝達する。
具体的には、底板４３に固着されたオルゴールユニット６のベース板６０上に保持板７０を起立固着し、該保持板に歯車伝動機構Ｋが取着される(図３)。第一歯車５に第二歯車７２が歯合する。該第二歯車７２と一体の軸部７３に駒７４が遊挿され、該駒に設けた小歯車７４ａが図１,図３に示すごとくの傘歯車７６に歯合する。二つの前記駒７４のうち一つが前記第二歯車７２の軸部に設けた爪７３ａに係止される(図５)。そして、該傘歯車７６の軸部先端に固着した第三歯車７８が、歯車仕掛けのオルゴールユニット６に係るドラム蓋併用平歯車６１ｂに歯合する歯車伝動機構Ｋとする。突起ロール２の回動する動力が第一歯車５から、第二歯車７２,小歯車７４ａ,傘歯車７６,第三歯車７８へと伝わって、ドラム蓋併用平歯車６１ｂを回し、歯車仕掛けのオルゴールユニット６のオルゴール音を鳴らす。
【００１７】
本実施形態は、さらに歯車伝動機構Ｋのなかに回転変換ユニット７を備える。第一歯車５に歯合する第二歯車７２から歯車伝動を受ける第三歯車７８が、突起ロール２上に足Ｆを載せ、その足Ｆを前方向に動かす場合及び足Ｆを後方向に動かす場合のいずれも一回転方向へ回転するようにした回転変換ユニット７である。ここで、「第二歯車７２から歯車伝動を受ける第三歯車７８」は、第二歯車７２に複数個の歯車を順次歯合させて第二歯車の回転力を受ける第三歯車をいう。該回転変換ユニット７によって、足Ｆを前後方向に動かす両方向の動きで、いずれもオルゴールユニット６が音を発する。
図中、符号７０ｄは立板部７０ａと一体形成される基板部で、止具７０ｅでベース板６０に固定することにより立板部７０ａを起立保持する。
【００１８】
本実施形態の回転変換ユニット７は第二歯車７２と駒７４とバネ７５と傘歯車７６と立板部７０ａとを備えたユニットで、具体的には図３〜図５のごとくのラチェット構造ユニットになっている。第二歯車７２と一体の軸部７３が、保持板７０に係る立板部７０ａのコ字形対向板部７０ａ１に回動自在に支持される。該軸部には、その長さ方向中央部位に円板状止板７３ｂが固着される。そして、二つの駒７４が第二歯車用軸部７３に遊挿され、駒７４が図３で示すように止板７３ｂの左右両側に夫々配される。円筒部７４ｂの略中央部位に小歯車７４ａを隆起形成した駒７４が、止板７３ｂと対向板部７０ａ１の間で左右に動ける余裕代をもって配される。そして、通常、駒７４の小歯車７４ａと止板７３ｂの間に遊嵌されたバネ７５で、駒７４は対向板部７０ａ１の方へ弾性付勢力を受けて該対向板部に当接する。尚、図３〜図５は各部品を判り易くするため、駒７４と対向板部７０ａ１の間に隙間を設けて図示する。
【００１９】
ここでの回転変換ユニット７はラチェット機構を採用する。図５のごとく、駒７４が弾性付勢力を受けて対向板部７０ａ１へ寄った状態にある小歯車７４ａの部位に対応する第二歯車用軸部７３に、小片からなる爪７３ａが固着される。一方、駒７４の貫通孔７４ｃを形成する内周部には図示のごとくのつめ車たるラチェット部７４ｄが形成される。第二歯車用軸部７３が回転することにより、ラチェット部７４ｄが爪７３ａと噛み合いながら、駒７４は一回転方向の間欠運動を行う。図５で、第二歯車用軸部７３が矢印方向に回転すると、爪７３ａにラチェット部７４ｄが係止された駒７４が矢印方向に回転するが、第二歯車用軸部７３が矢印方向と逆方向に回転すると、ラチェット部７４ｄがバネ７５の付勢力に抗して爪７３ａを滑り、駒７４は動かず、第二歯車用軸部７３だけが空回りする。図５の右側の駒７４は図示を省略するが、左側の駒７４の動きと正反対の動きになる構成を採っている。すなわち、第二歯車用軸部７３が図５の矢印方向に回転すると、ラチェット部７４ｄがバネ７５の付勢力に抗して爪７３ａを滑り、駒７４は動かず、第二歯車用軸部７３だけが空回りする。第二歯車用軸部７３が図５の矢印方向と逆方向に回転すると、爪７３ａにラチェット部７４ｄが係止された駒７４が矢印方向に回転する。
【００２０】
本実施形態の回転変換ユニット７は、図３のごとく二つの前記駒７４に形成された小歯車７４ａと歯合する傘歯車７６の軸部７７が、立板部７０ａのコ字形基部７０ａ２に設けた孔７０ａ２１を挿通し、ベース板６０上に設けた受部６０ｄに回転自在に支持される。
図４で、第二歯車７２が図示の矢印方向に回転すると、左側の駒７４が爪７３ａと噛み合う。該駒は第二歯車７２の矢印方向の回転に合わせて動いて、傘歯車７６を時計方向に回転させる。このとき、右側の駒７４は第二歯車用軸部７３上を滑って空回りする。右側駒７４は傘歯車７６に歯合しており、該傘歯車７６の時計回りの動きに追動回転する。また、図４で、第二歯車７２が図示の矢印方向と逆方向に回転すると、右側の駒７４が爪７３ａと噛み合う。該駒７４は第二歯車７２の回転方向に合わせて動いて、傘歯車７６を時計方向に回転させる。このとき、左側の駒７４は第二歯車用軸部７３上を滑って空回りする。左側駒７４は傘歯車７６に歯合しており、該傘歯車の時計回りの動きに追動回転する。該傘歯車と一体の軸部７７の先端には第三歯車７８が固着され、該第三歯車も前記傘歯車７６と同様、図４の時計回り方向の一回転方向に回転する。第三歯車７８はオルゴールユニット６に係るドラム蓋併用平歯車６１ｂに歯合する。
【００２１】
かくのごとくして、第一歯車５を回動させて動く第二歯車７２の正転、また逆転のいずれの回動に対しても、傘歯車７６が図４の時計回り方向に回転する回転変換ユニット７を形成する。第一歯車５に歯合する第二歯車７２から歯車伝動を受ける第三歯車７８が、前記突起ロール２上に足Ｆを載せ、その足Ｆを前方向に動かす場合及び前記足を後方向に動かす場合のいずれも一回転方向へ回転する回転変換ユニット７になる。足Ｆを前後方向に動かす両方向の動きで、第一歯車５の回動が、第二歯車７２を回動させる。該第二歯車の回動は駒７４,バネ７５，ラチェット部７４ｄ,爪７３ａのラチェット機構によって、傘歯車７６を図４でいえば時計回りの一方向へ回転させ、第三歯車７８も一方向の回転になる。該回転変換ユニット７の採用により、第一歯車５に歯合する第二歯車７２から歯車伝動を受ける第三歯車７８が、突起ロール２上に足Ｆを載せ、その足を前方向に動かす場合及び前記足Ｆを後方向に動かす場合のいずれも一回転方向へ回転し、前記足Ｆを前後方向に動かす両方向の動きで、いずれもオルゴールユニット６の音がでる構成になっている。回転変換ユニット７は図５に簡略図示したラチェット構造のものが優れるが、これに限定されない。尚、図５は回転変換ユニット７のラチェット構造の説明用簡便図にとどまり、図４の左側駒７４の爪７３ａに噛むラチェット部７４ｄの一方向のみ回転する実際の回転方向と逆回転方向に動く図面になっている。
【００２２】
オルゴールユニット６は、ベース板６０の受台６０ｃに櫛歯状の固定音階板たるリード板６２を固着し、回転する円筒形ドラム６１上の複数の凸部６１ａ１が順次固定音階板のリード６２ａに触れて自動的に演奏するいわゆる自鳴琴である。公知のぜんまい仕掛けと異なり、ここでは円筒形ドラム６１のドラム蓋併用平歯車６１ｂの回転で、ドラム６１が回転する。第一歯車５が歯車伝動機構Ｋを介してドラム蓋併用平歯車６１ｂに歯合連結し、該第一歯車５の回動を駆動源にして音の出るオルゴールユニット６とする。図中、符号６１ａはドラム本体、符号６１ｃはドラム蓋、符号６１ｄはドラム６１の軸部、符号６０ａ,６０ｂは該ドラムを回転自在に支持する受部で、該受部はベース板６０と一体形成される。符号６１ｄはドラム軸部、符号６０ａ１は軸部６１ｄの挿通孔、符号６０ｂ１は軸部６１ｄを支えるＵ溝である。符号６３は止具で、リード板６２に設けた孔に挿通して該リード板６２をリード受台６０ｃに固定する。
本実施形態は、既述のごとく歯車伝動機構Ｋに回転変換ユニット７が組み込まれ、突起ロール２上に足Ｆを載せ、前後方向に動かすことにより、いずれもオルゴールユニット６の音がでる構成になっている。足Ｆを前後方向に動かすことにより、図４で、いずれも時計回りに回る傘歯車７６の軸部先端に在る第三歯車７８が、ドラム６１と一体のドラム蓋併用平歯車６１ｂを回転させる。ドラム６１の回転で、ドラム周面に設けた凸部６１ａ１が板状薄片のリード６２ａに当たり、該リードを振動させて音を発する。本足踏み健康器具にふさわしいメロディを奏でるよう、ドラム６１の周面上に凸部６１ａ１が設けられる。
【００２３】
このように構成した足踏み健康器具は、基台４１に回転自在に支持された足踏みローラ１の突起ロール２上に足Ｆを載せ、前後に動かすことによって、従来の足踏み健康器具と同じように足裏のツボを刺激することができる。
と同時に、基台４１を貫通した足踏みローラ１に係る軸体３の先端部に固着した第一歯車５が、歯車伝動機構Ｋを介してオルゴールユニット６のドラム蓋併用平歯車６１ｂと歯合連結しているので、突起ロール２上に載せた足Ｆを前後に動かすことによって、オルゴールユニット６が音を奏でる。足裏のツボの刺激や足裏をマッサージするために足Ｆを動かす人の動作が、第一歯車５,歯車伝動機構Ｋを経由してドラム蓋併用平歯車６１ｂを回転させ、リード６２ａを振動させて心地よいオルゴール音を発する。リード６２ａの振動で奏でる気持ちの良い音楽は、聴覚を通じて心を癒し、心を豊かにするので、オルゴール音楽を聴きながら楽しく足踏みマッサージができる。楽しみながら足裏マッサージに取り組めるので、本足踏み健康器具は持続性を促す商品となる。しかも、オルゴールの快適な音楽で脳を刺激しながら足裏のツボを刺激するので、心身双方からの相乗効果を発揮する。
さらに、オルゴールの音を奏でる動力源に足踏み健康器具の利用者の運動エネルギが使われるので、特別な電源等を要しない。環境に優しく且つ頗る便利になっている。どこへでも本足踏み健康器具を持ち運んで、オルゴール音楽を聴きながらの足裏マッサージができる。
【００２４】
加えて、左右の足Ｆを載せるに丁度良い場所にそれぞれ突起ロール２を配置して、足踏みローラ１を同一軸線上に一対設け、両者間のスペースＳにオルゴールユニット６及び歯車伝動機構Ｋを配しているので、足踏み健康器具のコンパクト化が図れる。さらに、突起ロール２上に載せた足Ｆを前方向に動かす場合及び足Ｆを後方向に動かす場合のいずれも第三歯車７８が一回転方向へ回転するようにし、足Ｆを前後方向に動かす両方向の動きで、いずれもオルゴールユニット６の音がでるので、オルゴールの音色が断続せずに聴けるようになる。オルゴールの音が途切れないので、メロディも軽やかに響き、聴く者を一層楽しませる。足裏のツボの刺激だけでなく、五感や脳を一段と刺激する足踏み健康器具になるなど極めて有益となる。
【００２５】
尚、本考案においては前記実施形態に示すものに限られず、目的,用途に応じて本考案の範囲で種々変更できる。足踏みローラ１,突起ロール２,軸体３,第一歯車５,オルゴールユニット６,歯車伝動機構Ｋ,回転変換ユニット７等の形状,大きさ,個数,材質等は用途に合わせて適宜選択できる。
【図面の簡単な説明】
【００２６】
【図１】本考案の足踏み健康器具の一形態で、オルゴールユニットが収容された枠体部分の上蓋を外した状態の足踏み健康器具の斜視図である。
【図２】図１の概略平面図である。
【図３】図２の第一歯車と歯車伝動機構とオルゴールユニット周りの拡大平面図である。
【図４】歯車伝動機構周りの正面図である。
【図５】回転変換ユニットの説明断面図である。
【符号の説明】
【００２７】
１            足踏みローラ
２            突起ロール
２２          突起
３            軸体
４１          基台
５            第一歯車
６            オルゴールユニット
７            回転変換ユニット
７２          第二歯車
７８          第三歯車
Ｆ            足
【図１】
0003144938.tif 000003
【図２】
0003144938.tif 000004
【図３】
0003144938.tif 000005
【図４】
0003144938.tif 000006
【図５】
0003144938.tif 000007